(57)【要約】【課題】可視部からの視認性と、筆記しやすさが両立された筆記具を提供する。【解決手段】筆記具１は、筆記具本体１０と、筆記具本体１０から先端側に向かって延び且つインク保持部７からインクを先端側に誘導するインク誘導部５１、及びインク誘導部５１の先端に設けられた筆記部５２を有する筆記芯５と、インク誘導部５１の下側における、筆記部５２と筆記具本体１０との間に設けられた可視部Ｖと、を備え、筆記部５２は、インク誘導部５に対して鋭角または鈍角に設けられ且つ筆記対象箇所と当接する当接部５２ａを有し、当接部５２ａの下端から上端までの長さをａ、当接部５２ａの下端と上端との間の中心を通り且つ筆記具本体の軸Ａ方向に延びる線ｐ１と、筆記部５２の下端と可視部Ｖの上端との間の中心を通り且つ軸Ａ方向に延びる線ｐ２との間の距離をＺ１、としたときに、（Ｚ１／ａ）×１００≦１０．０である。【選択図】図６
2020196166.tif 000002
【特許請求の範囲】
【請求項１】
インクを保持するインク保持部を内部に有する筆記具本体と、
前記筆記具本体から先端側に向かって延び且つ前記インク保持部から前記インクを前記先端側に誘導するインク誘導部、及び、前記インク誘導部の先端に設けられた筆記部を有する筆記芯と、
前記インク誘導部の下側における、前記筆記部と前記筆記具本体との間に設けられた可視部と、を備え、
前記筆記部は、前記インク誘導部に対して鋭角または鈍角に設けられ且つ筆記対象箇所と当接する当接部を有し、
前記当接部の下端から上端までの長さをａ、
前記当接部の下端と上端との間の中心を通り且つ前記筆記具本体の軸方向に延びる線と、前記筆記部の下端と前記可視部の上端との間の中心を通り且つ前記軸方向に延びる線との間の距離をＺ１、としたときに、
（Ｚ１／ａ）×１００≦１０．０
である筆記具。
【請求項２】
インクを保持するインク保持部を内部に有する筆記具本体と、
前記筆記具本体から先端側に向かって延び且つ前記インク保持部から前記インクを前記先端側に誘導するインク誘導部、及び、前記インク誘導部の先端に設けられた筆記部を有する筆記芯と、
前記インク誘導部の下側における、前記筆記部と前記筆記具本体との間に設けられた可視部と、を備え、
前記筆記部は、前記インク誘導部に対して鋭角または鈍角に設けられ且つ筆記対象箇所と当接する当接部を有し、
前記当接部の下端から上端までの長さをａ、
前記当接部の下端と上端との間の中心を通り且つ前記筆記具本体の軸方向に延びる線と、前記可視部の下端と上端との間の中心を通り且つ前記軸方向に延びる線との間の距離をＺ２、としたときに、
（Ｚ２／ａ）×１００≦１７．０
である筆記具。
【請求項３】
前記インク誘導部と、前記当接部との間の角度θが、
７０°≦θ≦８０°
である請求項１又は２に記載の筆記具。
【請求項４】
前記インク誘導部の上下方向の幅をＸとしたときに、
（Ｘ／ａ）×１００≦４２．５
である請求項１から３のいずれか１項に記載の筆記具。
【請求項５】
前記インク誘導部を保持する保持部と前記可視部と含む芯保持体を備え、
前記芯保持体と前記筆記芯とを含む部分の上下方向の幅をペン先幅ｂとしたときに、
（ｂ／ａ）×１００≦１５０
である請求項１から４のいずれか１項に記載の筆記具。
【請求項６】
前記筆記具本体の先端面は、前記軸方向と直交する平面に対して前記当接部と同じ方向に傾いており、前記当接部と前記先端面とは略平行である、
請求項１から５のいずれか１項に記載の筆記具。
【請求項７】
前記可視部の肉薄部の厚みｔが、０．８ｍｍ≦ｔ≦１．０ｍｍ
である請求項１から６のいずれか１項に記載の筆記具。
【請求項８】
前記インク誘導部を保持する保持部と、前記可視部と、を含む芯保持体を備え、
前記芯保持体は、
前記当接部を前記筆記対象箇所に当接可能な状態で、前記筆記部の上面又は下面の少なくとも一方に沿って配置された壁部を備える、
請求項１から７のいずれか１項に記載の筆記具。
【発明の詳細な説明】
【技術分野】
【０００１】
本発明は、マーキングペン等の筆記具に関する。
【背景技術】
【０００２】
筆記具本体からインクを誘導するインク誘導部及び筆記部を有する筆記芯と、筆記芯を保持するとともに筆記方向を視認できる可視部（窓部）を備えた芯保持体を有する筆記具が知られている。このような筆記具は、芯保持体の可視部から文字等が見えるため、狙った位置に筆記しやすい（特許文献１及び特許文献２）。
【先行技術文献】
【特許文献】
【０００３】
【特許文献１】特開２０１７−１４４５８１号公報
【特許文献２】特許第３８２１６０９号公報
【発明の概要】
【発明が解決しようとする課題】
【０００４】
特許文献１には、筆記芯の形状が、可視部から見て略コの字状の筆記芯を備えた筆記具が開示されている。しかし、このような筆記芯形状の場合、インク誘導部が、可視部の上側及び下側に位置するため、可視部から文字等が見えづらい。
特許文献２には、筆記芯の形状が、可視部から見てＬ字状の筆記具が開示されている。しかし、この筆記芯の場合、筆記部とインク誘導部との間の角度が、直角に形成されているため、筆記しづらいという問題がある。
本発明は、可視部からの視認性と、筆記しやすさが両立された筆記具を提供することを課題とする。
【課題を解決するための手段】
【０００５】
上記課題を解決するために、本発明の一態様は、インクを保持するインク保持部を内部に有する筆記具本体と、前記筆記具本体から先端側に向かって延び且つ前記インク保持部から前記インクを前記先端側に誘導するインク誘導部、及び、前記インク誘導部の先端に設けられた筆記部を有する筆記芯と、前記インク誘導部の下側における、前記筆記部と前記筆記具本体との間に設けられた可視部と、を備え、前記筆記部は、前記インク誘導部に対して鋭角または鈍角に設けられ且つ筆記対象箇所と当接する当接部を有し、前記当接部の下端から上端までの長さをａ、前記当接部の下端と上端との間の中心を通り且つ前記筆記具本体の軸方向に延びる線と、前記筆記部の下端と前記可視部の上端との間の中心を通り且つ前記軸方向に延びる線との間の距離をＺ１、としたときに、
（Ｚ１／ａ）×１００≦１０．０である筆記具を提供する。
【０００６】
上記課題を解決するために、本発明の他の態様は、インクを保持するインク保持部を内部に有する筆記具本体と、前記筆記具本体から先端側に向かって延び且つ前記インク保持部から前記インクを前記先端側に誘導するインク誘導部、及び、前記インク誘導部の先端に設けられた筆記部を有する筆記芯と、前記インク誘導部の下側における、前記筆記部と前記筆記具本体との間に設けられた可視部と、を備え、前記筆記部は、前記インク誘導部に対して鋭角または鈍角に設けられ且つ筆記対象箇所と当接する当接部を有し、前記当接部の下端から上端までの長さをａ、前記当接部の下端と上端との間の中心を通り且つ前記筆記具本体の軸方向に延びる線と、前記可視部の下端と上端との間の中心を通り且つ前記軸方向に延びる線との間の距離をＺ２、としたときに、（Ｚ２／ａ）×１００≦１７．０である筆記具を提供する。
【０００７】
前記インク誘導部と、前記当接部との間の角度θが、７０°≦θ≦８０°であることが好ましい。
【０００８】
前記インク誘導部の上下方向の幅をＸとしたときに、（Ｘ／ａ）×１００≦４２．５であることが好ましい。
【０００９】
前記インク誘導部を保持する保持部と前記可視部と含む芯保持体を備え、前記芯保持体と前記筆記芯とを含む部分の上下方向の幅をペン先幅ｂとしたときに、（ｂ／ａ）×１００≦１５０であることが好ましい。
【００１０】
前記筆記具本体の先端面は、前記軸と直交する平面に対して前記当接部と同じ方向に傾いており、前記当接部と前記先端面とは略平行であることが好ましい。
【００１１】
前記可視部の肉薄部の厚みｔが、０．８ｍｍ≦ｔ≦１．０ｍｍであることが好ましい。
【００１２】
前記インク誘導部を保持する保持部と、前記可視部と、を含む芯保持体を備え、前記芯保持体は、前記当接部を前記筆記対象箇所に当接可能な状態で、前記筆記部の上面又は下面の少なくとも一方に沿って配置された壁部を備えることが好ましい。
【発明の効果】
【００１３】
本発明によれば、可視部からの視認性と、筆記しやすさが両立された筆記具を提供することができる。
【図面の簡単な説明】
【００１４】
【図１】本発明の実施形態の筆記具１を示す側面図である。
【図２】筆記具１の分解図である。
【図３】連結筒３、芯保持体４及び筆記芯５を斜め上側から見た分解斜視図である。
【図４】連結筒３、芯保持体４及び筆記芯５を斜め下側から見た分解斜視図である。
【図５】連結筒３、芯保持体４及び筆記芯５の側断面図である。
【図６】側面図である。
【図７】芯保持体４の側面図である。
【図８】連結筒３、芯保持体４及び筆記芯５の図６に示すＺ方向の断面図である。
【図９】実施例１，２，３，４，５と、比較例１，２，３との比較結果を示した表である
【発明を実施するための形態】
【００１５】
以下、本発明の筆記具の一実施形態について図面を参照しながら説明する。実施形態の筆記具１は、例えば、マーキングペンである。図１は、実施形態の筆記具１を示す側面図である。図２は、筆記具１の分解図である。筆記具１は、筆記具１の軸Ａ方向の一方側に太字マーカ１ａを備え、軸Ａ方向の他方側に細字マーカ１ｂを備える。以下の説明において、太字マーカ１ａ側を先又は前、細字マーカ側を後として説明する。
【００１６】
筆記具１は、筆記具本体１０と、筆記具本体１０の前側に取り付けられる芯保持体４と、芯保持体４に装着される太字側筆記芯（以下、筆記芯という）５と、筆記具１の太字マーカ１ａ側に装着される大キャップ６と、筆記具本体１０の後側に取り付けられる細字側筆記芯８と、筆記具１の細字マーカ１ｂ側に装着される小キャップ９と、を備える。
筆記具本体１０は、本体筒２と、本体筒２の前側に取り付けられる連結筒３と、本体筒２及び連結筒３の内部に配置されるインク保持部７と、を備える。
【００１７】
（インク保持部７）
インク保持部７は、本体筒２及び連結筒３の内部に収容される円柱部材であり、筆記用のインクが含浸され且つ軸Ａ方向に延びる中綿部材と、その中綿部材の外周を覆う、例えばＰＥＴやＰＰ等からなるフィルム状の樹脂と、を含んで構成される。
【００１８】
（本体筒２）
本体筒２は円筒状で、太字マーカ１ａ側の端部側の内周面には、本体側ネジ溝２１が形成されている。本体筒２の細字マーカ１ｂ側は後部に行くにつれて段階的に径が細くなり、端部に細字側筆記芯８が装着され、また小キャップ９が取り付けられる。
【００１９】
図３は、連結筒３、芯保持体４及び筆記芯５を斜め上側から見た分解斜視図である。図４は、連結筒３、芯保持体４及び筆記芯５を斜め下側から見た分解斜視図である。図５は、連結筒３、芯保持体４及び筆記芯５の側断面図である。図６は、連結筒３、芯保持体４及び筆記芯５の側面図である。
なお、上下とは、後述するように、筆記具１を、軸Ａ方向を水平にした状態で、前後に延びるインク誘導部５１に対して筆記部５２が延びる方向を下としたときの上下である。また、左右とは、筆記具１を後側からみたときの左右である。
【００２０】
（連結筒３）
連結筒３は、筒部材で、後側からネジ筒部３１と、ネジ筒部３１の前側に設けられるフランジ部３２と、フランジ部３２より前側に延びる前側筒部３３と、前側筒部３３の先端面３４からさらに前側に突出する取付枠部３５とを有する。
【００２１】
（ネジ筒部３１）
ネジ筒部３１は、連結筒３の後端側の外周面に形成され、図２に示す本体筒２の本体側ネジ溝２１に螺合される。
【００２２】
（フランジ部３２）
フランジ部３２は、ネジ筒部３１の前側の外周面から周方向の全域に亘って円環状に突出して設けられている。フランジ部３２の後面には、本体筒２の前端面が当接する。フランジ部３２の前面には、大キャップ６の後端面が当接する。
【００２３】
（前側筒部３３）
前側筒部３３は、フランジ部３２より前側に延びる。
【００２４】
（先端面３４）
先端面３４は、前側筒部３３の先端を部分的に覆い、軸Ａと直交する平面に対して傾いている。すなわち、先端面３４は、上から下に向かうにつれて前から後に向かうように傾斜している。先端面３４は、後述する当接部５２ａと略平行である。
【００２５】
（取付枠部３５）
取付枠部３５は、先端面３４から先端側に向かって突出し、先端面３４と略平行に設けられている。取付枠部３５は、上面部３５ａ、下面部３５ｂ、及び２つの側面部３５ｃを有する略矩形の枠部材であり、前後に貫通する矩形開口３６の縁部を形成する。取付枠部３５も、先端面３４と同様に上から下に向かうにつれて前から後に向かうように傾斜し、取付枠部３５の先端と、先端面３４と、当接部５２ａとは略平行である。なお、本明細書において「略平行」とは、取付枠部３５、先端面３４、及び当接部５２ａにおいて、２つの部分のなす角度がプラスマイナス１０°の範囲に入ることをいう。
取付枠部３５の下面部３５ｂの中央部には、前後に延びる切り欠きが設けられており、切り欠きの底面は、前側を向く中央当接面３７となっている。中央当接面３７には、芯保持体４の後述の段差面４８が当接する。取付枠部３５の側面部３５ｃの内面には、後側を向いた嵌合面３８が設けられている。
また、取付枠部３５の上面部３５ａの内面から、その奥の前側筒部３３の内面に渡り、後述するインク誘導部５１の傾斜部５１ｂに食い込む突部３６ａが設けられている。
【００２６】
（筆記芯５）
筆記芯５は多孔体部材で構成され、例えば繊維芯や焼結芯、フェルト等が用いられるが、インク誘導部に誘導されたインクを用いて筆記できるものであれば、これに限定されるものではない。
筆記芯５は、インク誘導部５１と、インク誘導部５１の先端側に設けられた筆記対象箇所と当接する当接部５２ａを有する筆記部５２とを備える。
インク誘導部５１と筆記部５２とは略Ｌ字形状に一体的に製造されている。上述したように、筆記具１を、軸Ａ方向を水平にした状態で、前後に延びるインク誘導部５１に対して筆記部５２が延びる方向を下とする。
【００２７】
（インク誘導部５１）
インク誘導部５１は、筆記具本体１０に収容されたインクを筆記部５２側に誘導する。インク誘導部５１は、前後に延び、軸Ａと略平行な平行部５１ａと、平行部５１ａの後側に設けられ、軸Ａに対して後側に行くにつれて下側に下がるように傾いた傾斜部５１ｂとを有する。
平行部５１ａは、後述する芯挿入部４２内に挿入され、傾斜部５１ｂは、後述する連結筒取付部４１の傾斜部載置部４７に載置される。
【００２８】
（筆記部５２）
筆記部５２は、インク誘導部５１の前側に設けられ、先端に当接部５２ａを有する。当接部５２ａは、筆記対象箇所である紙面等に当接し、インク誘導部５１より誘導されたインクを用いて、紙面等に文字を書いたり、すでに書かれている文字列にマーキングをしたりする。
当接部５２ａは、軸Ａに対して傾斜している。すなわち、当接部５２ａは、上から下に向かうにつれて前側から後側に行くように傾斜している。また、前述したように当接部５２ａは、連結筒３の先端面３４と略平行である。
筆記部５２は、当接部５２ａの幅（長さ）が厚さ方向（左右方向）の幅（長さ）より大きく形成される。当接部５２ａは、好ましくは２．０ｍｍ以上であり、さらに好ましくは３．０ｍｍ以上である。
【００２９】
ここで、図６に示すように、インク誘導部５１と当接部５２ａとの間の角度（ペン先角度）をθ（°）としたときに、実施形態において角度θは鋭角である。この角度θは、好ましくは７０°≦θ≦８０°であり、より好ましくは７５°≦θ≦８０°である。
また、当接部５２ａの長さ、つまり当接部５２ａの下端から上端までの長さをａとし、インク誘導部５１（平行部５１ａ）の上下方向の幅をＸとしたときに、実施形態において、（Ｘ／ａ）×１００≦４２．５である。すなわち、インク誘導部５１（平行部５１ａ）の上下方向の幅Ｘは、当接部５２ａの長さａの４２．５％以下である。
【００３０】
なお、本実施形態では、前後に延びるインク誘導部５１に対して筆記部５２における角度θは鋭角であるが、これに限定されず、角度θは鈍角であってもよい。鈍角とする場合の角度θは、好ましくは１００°≦θ≦１１０°であり、より好ましくは１０５°≦θ≦１１０°である。
角度θを鋭角とした本実施形態では、横書きの文字列の上から当接部５２ａの幅でマーキングするときに、使用者が自然な筆記具本体１０の持ち方をすると、可視部Ｖが手前側でインク誘導部５１が奥側となり、文字列を視認しやすい。
一方、角度θを鈍角とした場合は、縦書きの文字列の上から当接部５２ａの幅でマーキングする際に、自然な持ち方で可視部Ｖが使用者側に来るので文字列を視認しやすい。
【００３１】
（芯保持体４）
図７は芯保持体４の側面図である。実施形態において、芯保持体４は、例えば、透明の樹脂材料又は半透明の樹脂材料により形成されている。芯保持体４は、筒状の芯挿入部４２と、芯挿入部４２の前側に設けられた筆記部受部４５と、芯挿入部４２の後側に設けられた連結筒取付部４１と、芯挿入部４２の下部に設けられた肉薄部４４と、筆記部受部４５の下端から前側に突出した壁部４６とを有する。
【００３２】
（芯挿入部４２）
芯挿入部４２は筒状であり、後述の筆記芯５の平行部５１ａを内部に保持する。
【００３３】
（筆記部受部４５）
筆記部受部４５は、芯挿入部４２の前側に設けられ、後述の筆記芯５の筆記部５２を保持する。
【００３４】
（連結筒取付部４１）
連結筒取付部４１は、芯挿入部４２よりも後側に延び、連結筒３の取付枠部３５に差し込まれる。連結筒取付部４１の左右の外側面には、一対の取付凸部４３が形成されている。取付凸部４３は、連結筒３の取付枠部３５の内面に設けられた嵌合面３８と嵌合する（図４参照）。連結筒取付部４１の左右方向の中央部には、筆記芯５のインク誘導部５１の傾斜部５１ｂを保持する傾斜部載置部４７が設けられている。
【００３５】
（肉薄部４４）
肉薄部４４は、芯挿入部４２の下側における、筆記部受部４５と連結筒取付部４１との間に設けられた薄板状の部分で、厚み（左右方向の幅）は他の部分より薄い。実施形態において肉薄部４４の厚みｔは、０．８ｍｍ≦ｔ≦１．０ｍｍであることが好ましい。
【００３６】
（可視部Ｖ）
図７において斜線で示す部分は可視部Ｖである。可視部Ｖは、肉薄部４４の略大部分と、肉薄部４４よりも厚くなっている筆記部受部４５及び芯挿入部４２の一部を含む。可視部Ｖは、透明又は半透明の部材で製造された芯保持体４に筆記芯５を取り付けて連結筒３に挿入した時に、連結筒３及び筆記芯５によって遮られずに、左右の一方から他方を透視可能な部分である。すなわち、可視部Ｖは筆記時に筆記方向を視認可能な部分である。
なお、実施形態において芯保持体４は可視部Ｖも含めて全体が透明の材料で製造されているがこれに限定されず、少なくとも可視部Ｖが透明又は半透明であれば、他の部分は透明又は半透明でなくてもよい。また、可視部Ｖの一部に貫通孔が設けられていてもよい。さらに可視部Ｖは、一部又は全て貫通した開口部であってもよい。
【００３７】
実施形態で可視部Ｖは、筆記芯５の下端よりも、壁部４６の分だけ下に延びている。また、可視部Ｖは、後側に設けられた連結筒取付部４１よりも下側に延びており、その下側の突出した部分の後面は段差面４８となっている。段差面４８は、連結筒３の取付枠部３５の下面部３５ｂに設けられた中央当接面３７と当接する（図５参照）。
【００３８】
（壁部４６）
壁部４６は、筆記部受部４５の下端から先端側に半円弧状に突出している。
壁部４６が先端側に突出する長さは、壁部４６の先端の位置が、筆記部５２の壁部４６側の端部の先端の位置よりも、例えば、定規の厚さよりも短い距離Ｂ（図７）だけ、後方側に位置するように設定される。
「定規の厚さよりも短い距離Ｂ」は、筆記面である筆記部５２の先端から１．５ｍｍ以下であり、好ましくは１．０ｍｍ以下であり、さらに好ましくは０．５ｍｍ以下である。
これにより、定規を用いて線を引く場合に、壁部４６の側方の端部が定規に接触するため、筆記部５２の露出された部分が定規に接触しない。よって、定規を用いて線を引く場合に、定規にインクが付着することが抑制されるため、定規が汚れることを防止でき、かつ、筆記部５２と定規が擦れることにより生じる筆記部５２の破損を防止することができる。
また、壁部４６は、実施形態において筆記時に手前側にくる下面側に設けられているので、定規を用いた場合に自然な持ち方で、壁部４６が定規に接触した状態での筆記が可能となる。
【００３９】
図８は、連結筒３、芯保持体４及び筆記部５２の図６のＺ方向の断面図である。
筆記部受部４５の先端側の部分の外面と筆記部５２の先端側の部分の外面とを繋ぐ傾斜線Ｋは、軸Ａに対して、角度θ２の範囲に位置されるように形成されることが好ましい。筆記具本体２の軸Ａに対する傾斜線Ｋの角度θ２は、例えば、４５°以下が好ましく、３５°以下が更に好ましい。
【００４０】
これにより、筆記部受部４５が筆記部５２の先端側の部分よりも後方側に位置するため、筆記部５２の先端の部分は、露出する部分が多くなる。よって、筆記部受部４５を紙面側に倒すように傾けて筆記具１を使用する場合に、筆記部受部４５は、筆記部受部４５を紙面側に倒すように筆記具１を傾けても、筆記具本体２の軸Ａが紙面に対して角度θ２となるまで紙面に接触しない。従って、筆記具本体２の軸Ａに対する傾斜線Ｋの角度θ２とすることで、筆記部受部４５を紙面側に倒すように傾けた状態での筆記を行い易い。
【００４１】
特に、本発明の筆記具１は、筆記時に可視部Ｖを通して筆記方向を視認できるため、筆記具１をより倒した状態で筆記を行うことがある。このような場合でも、筆記部受部４５を紙面側に倒すように傾けた状態での筆記を行い易いため、筆記部受部４５を紙面側に倒した状態で、可視部Ｖを通して筆記方向を視認しながら、より好適に筆記を行うことができる。
【００４２】
ここで、図６に示すように、当接部５２ａの下端から上端までの長さをａ、当接部５２ａの下端と上端との間の中心を通る軸方向に延びる線ｐ１と、筆記部５２の下端と可視部Ｖの上端との間の中心を通る軸方向に延びる線ｐ２との間の距離Ｚ１（ｍｍ）としたとき、実施形態において（Ｚ１／ａ）×１００≦１０．０である。すなわち、線ｐ１と線ｐ２との間の距離Ｚ１は当接部５２ａの下端から上端までの長さａの１０％以下である。さらに、（Ｚ１／ａ）×１００≦３．５、すなわち、線ｐ１と線ｐ２との間の距離Ｚ１は当接部５２ａの下端から上端までの長さａの３．５％以下であるとより好ましい。
【００４３】
また、当接部５２ａの下端と上端との間の中心を通る軸Ａ方向に延びる線ｐ１と、可視部Ｖの下端と上端との間の中心を通る軸Ａ方向に延びる線ｐ３との間の距離Ｚ２（ｍｍ）としたとき、（Ｚ２／ａ）×１００≦１７である。すなわち、線ｐ１と線ｐ３との間の距離Ｚ２は当接部５２ａの下端から上端までの長さａの１７％以下である。さらに、Ｚ２／ａ≦０．１０、すなわち、線ｐ１と線ｐ３との間の距離Ｚ２は当接部５２ａの下端から上端までの長さａの１０％以下であるとより好ましい。
なお、図６においては、可視部Ｖの下側は軸Ａと平行であるが、例えば、可視部Ｖが、軸Ａ方向の後側につれて幅が大きくなる場合、または幅が小さくなる場合は、筆記部受部４５の内面と筆記部５２の後面との当接する位置における、可視部Ｖの下端と上端との間の中心を通る軸Ａ方向に延びる線を線ｐ３とする。
【００４４】
芯保持体４及び筆記芯５を含む部分全体としての上下方向の長さをペン先幅ｂ（ｍｍ）としたとき、実施形態において（ｂ／ａ）×１００≦１５０であることが好ましい。
【００４５】
（組み付け方）
次に、連結筒３、芯保持体４及び筆記芯５の、筆記具本体１０へ組み付け方について説明する。
まず、筆記芯５を、芯保持体４の筆記部受部４５の前側より挿入する。そうするとインク誘導部５１は芯挿入部４２を通り、筆記部５２の後面が筆記部受部４５の内面と当接する。これにより、筆記芯５が芯保持体４に対して位置決めされる。
【００４６】
次いで、筆記芯５が保持された芯保持体４の連結筒取付部４１を、連結筒３の矩形開口３６に挿入する。取付枠部３５の上面部３５ａの前面が、芯挿入部４２の後面４２ａと当接する。また、筆記具本体１０の中央当接面３７には、芯保持体４の段差面４８が当接する。これにより筆記芯５が保持された芯保持体４が、連結筒３に位置決めされる。
このとき、取付凸部４３が、取付枠部３５の内面に設けられた嵌合面３８を乗り越え嵌合され、筆記芯５が保持された芯保持体４が、連結筒３に対して抜けないように取り付けられる。
芯保持体４の連結筒取付部４１が板状に形成されると共に、連結筒３の矩形開口３６が長方形状に開口するため、芯保持体４の連結筒取付部４１は、筆記具本体１０に対して回転しにくい。
【００４７】
また、インク保持部７は筆記芯５より柔らかい材質により製造されている。したがって、図５に示すように、筆記芯５の傾斜部５１ｂの後端は、インク保持部７の先端に入り込む。また、連結筒３の内面に設けられた突部３６ａが筆記芯５の後ろ傾斜部５１ｂの上面より食い込むことで、筆記芯５も連結筒３に対して抜けないように取り付けられる。
芯保持体４と筆記芯５との関係のみで筆記芯５を保持することに比べて、筆記具本体１０と芯保持体４との間に、筆記芯５を挟みこむことで、容易に筆記芯を保持することができ、特に筆記芯５の軸方向への抜けを防止することができる。
【００４８】
図９は、種々条件を変えた本実施形態の実施例である実施例１，２，３，４，５と、比較形態としての比較例１，２，３とを用意して、それぞれについて、（１）可視部Ｖからの文字の視認性、（２）筆記のしやすさ、（３）文字の狙いやすさを判断した結果を示した表である。インク保持部７には、蛍光色のインクを詰めた。
【００４９】
表の記号は、上述したように以下を意味する。
ｂ：芯保持体４及び筆記芯５を含む部分全体としての上下方向の幅（ペン先幅）（ｍｍ）
θ：インク誘導部５１と当接部５２ａとの間の角度（ペン先角度）（°）
Ｘ：インク誘導部５１の上下方向の幅（ｍｍ）
Ｚ１：当接部５２ａの下端と上端との間の中心を通る軸Ａ方向に延びる線ｐ１と、筆記部の下端と可視部Ｖの上端との間の中心を通る軸Ａ方向に延びる線ｐ２との間の距離（ｍｍ）
Ｚ２：当接部５２ａの下端と上端との間の中心を通る軸Ａ方向に延びる線ｐ１、可視部Ｖの下端と上端との間の中心を通る軸Ａ方向に延びる線ｐ３との間の距離（ｍｍ）
【００５０】
実施例１，２，３，４，５と、比較例１，２，３とのいずれにおいても、筆記部５２の当接部５２ａの長さ（筆記幅）ａは４．００ｍｍである。その他の値は、表に示す。
【００５１】
表に示す（１）、（２）、（３）の評価は、実施例及び比較例の筆記具を使用し、複数人に、紙面にあらかじめ記載された文字サイズ１０ｐｔの横書きの文字列の上から当接部の長さでマーキングしてもらい、使用者に〇、△、Ｘの段階評価をしてもらった結果のうち最も評価人数の多い評価結果を示す。
（１）可視部Ｖからの文字の視認性において、〇は視認性良好と感じた場合、Ｘは視認性が悪いと感じた場合、△はどちらといえないと感じた場合である。
（２）筆記のしやすさにおいて、〇は筆記しやすいと感じた場合、Ｘは筆記しにくいと感じた場合、△はどちらといえないと感じた場合である。
（３）文字の狙いやすさにおいて、マーキングペンである筆記具１において、すでに書かれている文字にマーキングする場合に、マーキングする文字を狙いやすいかどうかで、〇は文字を狙いやすいと感じた場合、Ｘは文字を狙いにくいと感じた場合、△はどちらといえないと感じた場合である。
【００５２】
（１）可視部Ｖからの文字の視認性
「可視部Ｖからの文字の視認性」は、Ｚ１／ａ、又はＺ２／ａの値が影響する。
Ｚ１／ａが小さいと、当接部５２ａの中心と、可視部Ｖにおける筆記部５２の後側から見えている部分の中心とのずれが小さいので、実際にマーキングを行う当接部５２ａを、マーキング対象である文字列と位置合わせしたときに、可視部Ｖから実際にマーキング対象である文字列を認識しやすい。
実際に、表に示すように、（Ｚ１／ａ）×１００≦１０．０、すなわち、線ｐ１と線ｐ２との間の距離Ｚ１が、当接部５２ａの下端から上端までの長さａの１０％以下である実施例１，２，３，４，５及び比較例２，３においては、可視部Ｖからの文字の視認性が、△又は〇であった（図中、灰色の部分）。
これにより、実施形態の範囲は可視部Ｖからの文字の視認性がよいことがわかる。
【００５３】
当接部５２ａが、インク誘導部５１に対して鋭角に傾いている場合、横書きの文字列の上から当接部５２ａの幅でマーキングするときには、使用者が自然な筆記具本体１０の持ち方をすると、可視部Ｖが手前側で、インク誘導部５１が奥側となる。
使用者は、後斜め上からペン先を見下ろす形になるため、可視部Ｖを無理な姿勢での覗き込む必要はなく、自然な姿勢で手前側の可視部Ｖから文字列を見ることができる。
よって、当接部５２ａとインク誘導部５１は、鋭角であることが好ましい。
【００５４】
筆記部５２の当接部５２ａの下端と筆記部５２の後面との距離Ｙ（図７）は、３．０ｍｍ以下が好ましい。筆記部５２の当接部５２ａの下端と筆記部５２の後面との距離が近いことで、視認性がより良くなる。一方、筆記芯５の強度から、１．５ｍｍ以上であることが好ましい。
【００５５】
さらに、実施形態の好ましい範囲である、（Ｚ１／ａ）×１００≦３．５、すなわち、線ｐ１と線ｐ２との間の距離Ｚ１は当接部５２ａの下端から上端までに長さａの３．５％以下である、実施例１，２，３及び比較例２，３においては可視部Ｖからの文字の視認性が〇であった。
【００５６】
また、Ｚ２／ａが大きい場合、使用時において可視部Ｖにおける筆記部５２よりも下の部分も視界に入る。そうすると、実際にマーキングを行う場合に可視部Ｖの下端のラインが気になり、当接部５２ａの範囲と、可視部Ｖの範囲とのずれが大きくなるのでマーキング時の位置決めがしにくくなる場合がある。したがって、Ｚ２／ａも小さい方がよい。
実際に、表に示すように、（Ｚ２／ａ）×１００≦１７．０、すなわち、線ｐ１と線ｐ３との間の距離Ｚ１が、当接部５２ａの下端から上端までに長さａの１７％以下である実施例１，２，３，４，５及び比較例２，３においては、可視部Ｖからの文字の視認性が、△又は〇であった（図中、灰色の部分）。
これにより、実施形態の範囲は可視部Ｖからの文字の視認性がよいことがわかる。
【００５７】
さらに、実施形態の好ましい範囲である、（Ｚ２／ａ）×１００≦１０、すなわち、線ｐ１と線ｐ２との間の距離Ｚ２は当接部５２ａの下端から上端までに長さａの１０％以下である、実施例１，２，３及び比較例２，３においては可視部Ｖからの文字の視認性が〇であった。
【００５８】
（２）筆記しやすさ
「筆記しやすさ」は、ペン先角度θが大きく影響する。角度θが７０°≦θ≦８０°である実施例１，２，３，４，５及び比較例１は、筆記のしやすさが△又は〇であった（図中、灰色の部分）。
さらに、上述したより好ましい範囲である７５°≦θ≦８０°においては筆記のしやすさが〇であった。これにより、実施形態の範囲は、筆記がしやすいことがわかる。
【００５９】
また、実施形態ではインク誘導部５１の上下方向の幅Ｘとしたときに、（Ｘ／ａ）×１００≦４２．５である（図中、灰色の部分）。筆記部５２（当接部５２ａ）の幅に対してインク誘導部５１の上下方向の幅Ｘが大きいと、可視部Ｖの上下方向の幅を大きく取ることができないからである。実施形態では、（Ｘ／ａ）×１００≦４２．５であるので、可視部Ｖの幅を十分に取ることができる。
一方で、インク誘導部５１の幅Ｘが小さいと、インク保持部７から筆記部５２に十分にインクを供給できないことや、筆記芯としての強度が不足するため、インク誘導部５１の幅Ｘは、１．５ｍｍ以上であることが好ましい。
【００６０】
（３）文字の狙いやすさ
「文字の狙いやすさ」については、必須要件ではないが、芯保持体４及び筆記芯５を含む部分全体としての上下方向のペン先幅ｂ（ｍｍ）としたとき、（ｂ／ａ）×１００≦１５０であることが好ましい（図中、灰色の部分）。
これは（ｂ／ａ）は文字の狙いやすさに影響するからである。すなわち、筆記部５２の当接部５２ａの長さ（幅）ａに対して芯保持体４及び筆記芯５を含む部分全体としての上下方向の幅（ペン先幅）ｂが大きいと、見えているペン先幅ｂに対して、実際に筆記される幅である当接部５２ａの長さ（筆記幅）が小さいので、マーキング対象である文字列への当接部５２ａの位置決めが難しくなる。
表に示すように（ｂ／ａ）×１００≦１５０にすると、文字の狙いやすさも向上する。
【００６１】
（４）当接部５２ａと筆記具本体１０の先端面３４とが略平行であることの効果
また、実施形態では当接部５２ａと、筆記具本体１０（連結筒３）の先端面３４とは略平行である。
実施形態において当接部５２ａは筆記しやすさの観点から、軸Ａと平行なインク誘導部５１に対して鋭角に傾いている。この状態で連結筒３の先端面３４を、仮に軸Ａと直交させた場合、筆記時に可視部Ｖから文字列が見にくくなる。特に、筆記時において使用者は筆記具本体１０を自然な姿勢で持った場合に、後斜め上から、ペン先を見下ろす形になる。そうすると、先端面３４の下側が使用者の手前側にくるので、この先端面３４の下側によって、可視部Ｖの後ろ側が遮られるので、文字列がより見にくくなる。
実施形態では当接部５２ａと、筆記具本体１０（連結筒３）の先端面３４とが略平行で、すなわち軸Ａに対して傾いているので、筆記時において可視部Ｖを遮りにくく、文字列を認識しやすい。
【００６２】
なお、連結筒３の先端面３４を軸Ａと直交させ且つ筆記時における可視部Ｖの視認性を確保するために先端面３４をより後方に設けることも考えられるが、そうすると、芯挿入部４２が長くなり、強度的に弱くなり、またインク誘導部５１も長くなるのでインクが十分に筆記部５２に供給されにくくなる。
【００６３】
しかし、実施形態では、当接部５２ａと、このように筆記具本体１０（連結筒３）の先端面３４とが略平行で、すなわち軸Ａに対して傾いているので、芯挿入部４２を長くすることなく可視部Ｖからの文字列の認識性を向上することができる。ゆえに、強度を低下させることなく、また筆記部５２へのインク供給も問題なく行うことができる。
【００６４】
また、当接部５２ａと、筆記具本体１０（連結筒３）の先端面３４とを略平行にすると、見た目が美しく意匠的にも優れる。
【００６５】
（５）可視部Ｖの肉薄部の厚みｔの効果
可視部Ｖの肉薄部の厚みｔは、上述のように、０．８ｍｍ≦ｔ≦１．０ｍｍである。この厚さ範囲であると屈折等によって可視部Ｖの視認性が劣ることなく、また十分な強度も確保される。
【００６６】
（６）壁部４６の効果
実施形態において壁部４６が、筆記部５２の下面を部分的に覆っているので、筆記部５２の下面の露出範囲を制限し、定規を用いてインクを筆記する場合に、定規に筆記部５２が接触しない。また、実施形態において壁部４６は、筆記時に手前側にくる下面側に設けられているので、定規を用いた場合に自然な持ち方で、壁部４６が定規に接触した状態で筆記可能となる。
【符号の説明】
【００６７】
Ｖ    可視部
１    筆記具
７    インク保持部
１０    筆記具本体
２    本体筒
３    連結筒
３３    前側筒部
３４    先端面
３５    取付枠部
３６    矩形開口
３６ａ    突部
３８    嵌合面
４    芯保持体
４１    連結筒取付部
４２    芯挿入部
４３    取付凸部
４４    肉薄部
４５    筆記部受部
４６    壁部
４７    傾斜部載置部
５    筆記芯
５１    インク誘導部
５１ａ    平行部
５１ｂ    傾斜部
５２    筆記部
５２ａ    当接部
【図１】
2020196166.tif 000003
【図２】
2020196166.tif 000004
【図３】
2020196166.tif 000005
【図４】
2020196166.tif 000006
【図５】
2020196166.tif 000007
【図６】
2020196166.tif 000008
【図７】
2020196166.tif 000009
【図８】
2020196166.tif 000010
【図９】
2020196166.tif 000011